(57)【要約】【課題】共通電極の電位を補正することなく、画素に掛かる直流電圧成分の偏りを解消する。【解決手段】画素を駆動する単位期間のフレームを４個のグループで構成するとともに、各グループを１０個のサブフィールドで構成し、第１，第２グループにおいては画素のオン駆動を正極性とし、第３，第４グループにおいては画素のオン駆動を負極性とする。各グループにおいては、サブフィールド毎に画素を階調に応じてオン駆動またはオフ駆動する。フリッカーが発生している画素においては、サブフィールドｓｆ１０は、第１，第２グループにおいてオン駆動となる回数と、第３，第４グループにおいてオン駆動となる回数とが、直流電圧成分の極性に応じて異なるようにする。【選択図】図１
2015031778.tif 000002
【特許請求の範囲】
【請求項１】
複数の画素をそれぞれオン駆動またはオフ駆動する駆動装置であって、
前記画素を駆動する単位期間のフレームを２ｎ個（ｎは整数）のグループで構成するとともに、各グループを複数個のサブフィールドで構成し、前記２ｎ個のうちのｎ個のグループにおいては前記画素のオン駆動を正極性とし、他のｎ個のグループにおいては前記画素のオン駆動を負極性とし、
前記グループのそれぞれにおいては、前記サブフィールド毎に前記画素を当該画素の階調に応じてオン駆動またはオフ駆動し、
前記複数の画素のうち直流電圧成分の偏りの解消を要する特定画素に対しては、各グループの予め定められた一つの特定サブフィールドにおいて正極性でオン駆動となる回数と、負極性でオン駆動となる回数とが、前記直流電圧成分の極性に応じて異なるように駆動する
駆動装置。
【請求項２】
前記複数の画素は、各々が液晶素子を有し、
前記特定画素においては、
前記特定サブフィールドがオン駆動となるグループは、前記液晶素子がノーマリーブラックである場合とノーマリーホワイトである場合とで異なる
請求項１に記載の駆動装置。
【請求項３】
前記特定画素においては、
前記液晶素子がノーマリーブラックである場合、直流電圧成分の偏りの解消をしない場合と比較して画素の明るさを暗くし、
前記液晶素子がノーマリーホワイトである場合、直流電圧成分の偏りの解消をしない場合と比較して画素の明るさを明るくする
請求項２に記載の駆動装置。
【請求項４】
奇数フレームと偶数フレームの一方においては、偶数行奇数列の画素と奇数行偶数列の画素を第１画素とするとともに、奇数行奇数列の画素と偶数行偶数列の画素を第２画素とし、
奇数フレームと偶数フレームの他方においては、偶数行奇数列の画素と奇数行偶数列の画素を第２画素とするとともに、奇数行奇数列の画素と偶数行偶数列の画素を第１画素とし、
１フレーム内において前記特定サブフィールドがオン駆動となる回数は、前記第１画素と前記第２画素とで異なる
請求項１に記載の駆動装置。
【請求項５】
前記第１画素は、直流電圧成分の偏りの解消をしない場合と比較して画素の明るさが暗くされ、前記第２画素は、直流電圧成分の偏りの解消をしない場合と比較して画素の明るさが明るくされる
請求項４に記載の駆動装置。
【請求項６】
前記複数の画素で構成される表示領域の定められた領域にある画素を、前記特定画素とする
請求項１乃至請求項５のいずれか一項に記載の駆動装置。
【請求項７】
前記複数の画素の明るさを検知するセンサーを有し、
前記複数の画素のそれぞれにおいて１フレーム内でオン駆動が正極性のときのオン駆動の回数と、オン駆動が負極性のときのオン駆動の回数とを同じとし、
オン駆動が正極性のときの画素の明るさと、オン駆動が負極性のときの画素の明るさとの差に基いて前記領域を定める
請求項６に記載の駆動装置。
【請求項８】
前記複数個のサブフィールドは、各々時間長が異なり、最小の時間長のサブフィールドを前記特定サブフィールドとする
請求項１乃至請求項７のいずれか一項に記載の駆動装置。
【請求項９】
各々が液晶素子を有する複数の画素と、
前記複数の画素をそれぞれオン駆動またはオフ駆動する駆動装置とを有し、
前記駆動装置は、
前記画素を駆動する単位期間のフレームを２ｎ個（ｎは整数）のグループで構成するとともに、各グループを複数個のサブフィールドで構成し、前記２ｎ個のうちのｎ個のグループにおいては前記画素のオン駆動を正極性とし、他のｎ個のグループにおいては前記画素のオン駆動を負極性とし、
前記グループのそれぞれにおいては、前記サブフィールド毎に前記画素を当該画素の階調に応じてオン駆動またはオフ駆動し、
前記複数の画素のうち直流電圧成分の偏りの解消を要する特定画素に対しては、各グループの予め定められた一つの特定サブフィールドにおいて正極性でオン駆動となる回数と、負極性でオン駆動となる回数とが、前記直流電圧成分の極性に応じて異なるように駆動する
液晶表示装置。
【請求項１０】
請求項９に記載の液晶表示装置を有する電子機器。
【請求項１１】
複数の画素をそれぞれオン駆動またはオフ駆動する駆動方法であって、
前記画素を駆動する単位期間のフレームを２ｎ個（ｎは整数）のグループで構成するとともに、各グループを複数個のサブフィールドで構成し、前記２ｎ個のうちのｎ個のグループにおいては前記画素のオン駆動を正極性とし、他のｎ個のグループにおいては前記画素のオン駆動を負極性とし、
前記グループのそれぞれにおいては、前記サブフィールド毎に前記画素を当該画素の階調に応じてオン駆動またはオフ駆動し、
前記複数の画素のうち直流電圧成分の偏りの解消を要する特定画素に対しては、各グループの予め定められた一つの特定サブフィールドにおいて正極性でオン駆動となる回数と、負極性でオン駆動となる回数とが、前記直流電圧成分の極性に応じて異なるように駆動する
駆動方法。
【発明の詳細な説明】
【技術分野】
【０００１】
本発明は、サブフィールド駆動方式に関する。
【背景技術】
【０００２】
液晶の駆動方式として、例えばサブフィールド駆動方式がある。サブフィールド駆動方式は、１フィールドを時間軸上で複数のサブフィールドに分割し、各サブフィールドにおいては各画素に対して階調に応じてオン電圧又はオフ電圧を印加する。サブフィールド駆動方式においても電圧の極性を一定の周期で反転させる交流駆動が行われるが、所謂フィードスルーによって正極性の電圧と負極性の電圧とで印加電圧が非対称となり、フリッカーが発生してしまう。このような印加電圧の非対称性を解消する技術として例えば特許文献１に開示された発明がある。特許文献１に開示されている表示装置は、表示装置を構成するＴＦＴ（Thin Film Transistor）の寄生容量や基板の特性に応じて共通電極の電位を補正することにより、液晶に作用する直流電圧成分を小さくし、表示品位の低下を防止している。
【先行技術文献】
【特許文献】
【０００３】
【特許文献１】特開２００２−１８９４６０号公報
【発明の概要】
【発明が解決しようとする課題】
【０００４】
ところで、液晶に作用する直流電圧成分は、時間の経過によって液晶内部の不純物イオンの分布が偏ることによっても生じ、この偏りは、表示装置内の位置によって進行が異なる場合がある。このため、特許文献１に開示されているように、共通電極の電位を補正する方法では、フリッカーが発生している画素については直流電圧成分の影響を小さくすることができるものの、フリッカーが発生していない画素については正極性の電圧と負極性の電圧とで印加電圧が非対称となってしまう。
【０００５】
本発明は、上述した事情に鑑みてなされたものであり、その目的の一つは、共通電極の電位を補正することなく、画素に掛かる直流電圧成分の偏りを解消することにある。
【課題を解決するための手段】
【０００６】
上記目的を達成するため、本発明に係る駆動装置は、複数の画素をそれぞれオン駆動またはオフ駆動する駆動装置であって、前記画素を駆動する単位期間のフレームを２ｎ個（ｎは整数）のグループで構成するとともに、各グループを複数個のサブフィールドで構成し、前記２ｎ個のうちのｎ個のグループにおいては前記画素のオン駆動を正極性とし、他のｎ個のグループにおいては前記画素のオン駆動を負極性とし、前記グループのそれぞれにおいては、前記サブフィールド毎に前記画素を当該画素の階調に応じてオン駆動またはオフ駆動し、前記複数の画素のうち直流電圧成分の偏りの解消を要する特定画素に対しては、各グループの予め定められた一つの特定サブフィールドにおいて正極性でオン駆動となる回数と、負極性でオン駆動となる回数とが、前記直流電圧成分の極性に応じて異なるように駆動する。
この構成によれば、直流電圧成分の偏りの解消を要する画素においては、正極性でオン駆動となる回数と、負極性でオン駆動となる回数とが、前記直流電圧成分の極性に応じて異なるため、共通電極の電位を補正せずに直流電圧成分の偏りを解消することができる。
【０００７】
前記駆動装置においては、前記複数の画素は、各々が液晶素子を有し、前記特定画素においては、前記特定サブフィールドがオン駆動となるグループは、前記液晶素子がノーマリーブラックである場合とノーマリーホワイトである場合とで異なる構成としてもよい。
この構成によれば、液晶素子がノーマリーブラックとノーマリーホワイトのいずれの場合であっても、共通電極の電位を補正せずに直流電圧成分の偏りを解消することができる。
【０００８】
また、前記駆動装置においては、前記特定画素においては、前記液晶素子がノーマリーブラックである場合、直流電圧成分の偏りの解消をしない場合と比較して画素の明るさを暗くし、前記液晶素子がノーマリーホワイトである場合、直流電圧成分の偏りの解消をしない場合と比較して画素の明るさを明るくする構成としてもよい。
この構成によれば、直流電圧成分の偏りを解消する画素は、直流電圧成分の偏りを解消しない画素と比較すると、オン駆動の回数が少なくなり、直流電圧成分の偏りを解消しない画素との明るさの差を小さくできる。
【０００９】
また、前記駆動装置においては、奇数フレームと偶数フレームの一方においては、偶数行奇数列の画素と奇数行偶数列の画素を第１画素とするとともに、奇数行奇数列の画素と偶数行偶数列の画素を第２画素とし、奇数フレームと偶数フレームの他方においては、偶数行奇数列の画素と奇数行偶数列の画素を第２画素とするとともに、奇数行奇数列の画素と偶数行偶数列の画素を第１画素とし、１フレーム内において前記特定サブフィールドがオン駆動となる回数は、前記第１画素と前記第２画素とで異なる構成としてもよい。
この構成によれば、直流電圧成分を解消する際には、隣合う画素同士は、１フレーム内におけるオン駆動の回数が同じとならないため明るさが異なり、また、一つの画素は、奇数フレームと偶数フレームとで明るさが異なるため、フリッカーが視認されにくくなる。
【００１０】
また、前記駆動装置においては、前記第１画素は、直流電圧成分の偏りの解消をしない場合と比較して画素の明るさが暗くされ、前記第２画素は、直流電圧成分の偏りの解消をしない場合と比較して画素の明るさが明るくされる構成としてもよい。
この構成によれば、隣合う画素同士は、１フレーム内における明るさが異なり、揃って明るく又は暗くなることがないため、特定サブフィールドにおいて正極性でオン駆動する回数とオフ駆動する回数とが異なってもフリッカーが視認されにくくなる。
【００１１】
また、前記駆動装置においては、前記複数の画素で構成される表示領域の定められた領域にある画素を、前記特定画素とする構成としてもよい。
この構成によれば、定められた領域内の画素についてのみ、画素に掛かる直流電圧成分の偏りを解消することができる。
【００１２】
また、前記駆動装置においては、前記複数の画素の明るさを検知するセンサーを有し、前記複数の画素のそれぞれにおいて１フレーム内でオン駆動が正極性のときのオン駆動の回数と、オン駆動が負極性のときのオン駆動の回数とを同じとし、オン駆動が正極性のときの画素の明るさと、オン駆動が負極性のときの画素の明るさとの差に基いて前記領域を定める構成としてもよい。
この構成によれば、直流電圧成分の偏りの解消を要する画素を特定し、特定した画素についてのみ、直流電圧成分の偏りを解消することができる。
【００１３】
また、前記駆動装置においては、前記複数個のサブフィールドは、各々時間長が異なり、最小の時間長のサブフィールドを前記特定サブフィールドとする構成としてもよい。
この構成によれば、オン駆動のときとオフ駆動のときとで画素の明るさの差を小さくすることができる。
【００１４】
また上記目的を達成するために本発明に係る液晶表示装置は、各々が液晶素子を有する複数の画素と、前記複数の画素をそれぞれオン駆動またはオフ駆動する駆動装置とを有し、前記駆動装置は、前記画素を駆動する単位期間のフレームを２ｎ個（ｎは整数）のグループで構成するとともに、各グループを複数個のサブフィールドで構成し、前記２ｎ個のうちのｎ個のグループにおいては前記画素のオン駆動を正極性とし、他のｎ個のグループにおいては前記画素のオン駆動を負極性とし、前記グループのそれぞれにおいては、前記サブフィールド毎に前記画素を当該画素の階調に応じてオン駆動またはオフ駆動し、前記複数の画素のうち直流電圧成分の偏りの解消を要する特定画素に対しては、各グループの予め定められた一つの特定サブフィールドにおいて正極性でオン駆動となる回数と、負極性でオン駆動となる回数とが、前記直流電圧成分の極性に応じて異なるように駆動する。
この構成によれば、直流電圧成分の偏りの解消を要する画素においては、正極性でオン駆動となる回数と、負極性でオン駆動となる回数とが、前記直流電圧成分の極性に応じて異なるため、共通電極の電位を補正せずに直流電圧成分の偏りを解消することができる。
【００１５】
なお、本発明は、駆動装置のほか、駆動方法や、当該液晶表示装置を有する電子機器としても適用することが可能である。
【図面の簡単な説明】
【００１６】
【図１】第１実施形態に係る電気光学装置の全体構成を示したブロック図。
【図２】表示パネルの構成を示した図。
【図３】表示パネルにおける画素の構成を示した図。
【図４】フレームを構成するサブフィールドを示した図。
【図５】ＳＦコードの一例を示した図。
【図６】サブフィールドｓｆ１０におけるＳＦビットＳｂ１の値のパターンを示した図。
【図７】第１実施形態におけるＳＦビットＳｂ１の補正例を示した図。
【図８】タイミング制御回路２０が出力する信号の一例を示した図。
【図９】サブフィールドｓｆ１０にてＳＦビットＳｂ１が補正される領域を示した図。
【図１０】第１実施形態に係る電気光学装置の全体構成を示したブロック図。
【図１１】第２実施形態におけるＳＦビットＳｂ１の補正例を示した図。
【図１２】第２実施形態の動作を説明するための図。
【図１３】電気光学装置を適用したプロジェクターの構成を示した図。
【発明を実施するための形態】
【００１７】
［第１実施形態］
図１は、本発明の第１実施形態に係る電気光学装置の全体構成を示したブロック図である。電気光学装置１０は、液晶素子を画素として有する液晶表示装置であり、この図に示されるように、電気光学装置１０は、タイミング制御回路２０、画質調整部３０、メモリー制御部４０、メモリー４５、ＳＦビット変換回路５０及び表示パネル１００を有する。電気光学装置１０は、液晶素子を画素として有する表示パネル１００をサブフィールド駆動方式で駆動する装置である。電気光学装置１０には、図示を省略した上位回路から映像信号Ｖｉｄが供給される。映像信号Ｖｉｄは、表示すべき画像における各画素の階調レベルをそれぞれ規定するものであり、垂直走査信号Ｖｓ、水平走査信号Ｈｓ及びドットクロック信号Ｃｌｋにしたがって走査される画素の順で供給される。
【００１８】
タイミング制御回路２０は、垂直走査信号Ｖｓ、水平走査信号Ｈｓ及びドットクロック信号Ｃｌｋに基づいて各部を制御する。また、タイミング制御回路２０は、これらの信号に基いて、データ線駆動回路１４０を制御する制御信号Ｘｃｔや、走査線駆動回路１３０を制御する制御信号Ｙｃｔを生成し、生成した制御信号Ｘｃｔ及び制御信号Ｙｃｔを出力する。
【００１９】
画質調整部３０は、映像信号Ｖｉｄで規定される画像の明るさや色合いなどを、表示パネル１００の表示特性や、図示を省略した各種操作子の設定状況に合わせて前処理し、当該前処理によって得られる映像信号Ｄａを出力する。なお、本実施形態において、上位回路から供給される映像信号Ｖｉｄは、アナログ信号でもあっても良いし、デジタル信号でもあっても良いが、アナログ信号であれば、画質調整部３０によってデジタル信号に変換される。
【００２０】
メモリー制御部４０は、タイミング制御回路２０による制御にしたがって、映像信号Ｄａをメモリー４５に書き込む一方で、表示パネル１００で駆動する画素に対応した映像信号を当該メモリー４５から読み出すものである。なお、メモリー４５に書き込まれる映像信号Ｄａと区別するために、読み出された映像信号をＤｂと表記している。
【００２１】
ＳＦビット変換回路５０は、メモリー制御部４０から供給される映像信号Ｄｂを、表示パネル１００における駆動タイミング（サブフィールド）に応じて、サブフィールドにおいて当該画素をオン駆動又はオフ駆動すべきかを示すＳＦビットＳｂ２に変換するものである。ＳＦビット変換回路５０は、ＳＦコード変換部５２、ＳＦビット選択部５４及びＳＦビット補正部５６を有する。なお、ＳＦビット変換回路５０の詳細については後述する。
表示パネル１００は、例えばアクティブ・マトリクス型であって透過型の液晶表示パネルであり、画素毎に透過率を変調した透過像を生成するものである。
【００２２】
図２は、表示パネル１００の構成を示した図である。この図に示されるように、表示パネル１００には、例えば１、２、３、…、１０８０行の走査線１１２が設けられ、また、１、２、３、…、１９２０列のデータ線１１４が各走査線１１２と互いに電気的に絶縁を保つように設けられている。そして、１０８０行の走査線１１２と１９２０列のデータ線１１４との交点のそれぞれに対応して、画素１１０がそれぞれ配列されている。したがって、本実施形態では、画素１１０が縦１０８０行×横１９２０列でマトリクス状に配列されていることになる。本実施形態においては、このように画素１１０の配列する領域が表示領域１０１となる。なお、走査線１１２とデータ線１１４の本数は、上述した数に限定されるものではなく、他の本数であってもよい。
【００２３】
表示領域１０１の周辺には、走査線駆動回路１３０とデータ線駆動回路１４０とがそれぞれ設けられている。このうち、走査線駆動回路１３０は、１〜１０８０行の走査線１１２にそれぞれ走査信号を供給するものである。本実施形態において走査線駆動回路１３０は、制御信号Ｙｃｔによって走査線１１２を１、２、３、…、１０８０行目という順番で選択するとともに、選択した走査線への走査信号を選択電圧とする一方、それ以外の、非選択に係る走査線への走査信号を非選択電圧とする。なお、１、２、３、…、１０８０行目の走査線１１２に供給される走査信号をそれぞれＧ１、Ｇ２、Ｇ３、…、Ｇ１０８０と表記している。データ線駆動回路１４０は、タイミング制御回路２０から供給される制御信号Ｘｃｔにしたがって、１〜１９２０列目のデータ線１１４の各々に、それぞれのデータ線１１４に関係するＳＦビットＳｂ２に応じたデータ信号を供給するものである。なお、１、２、３、…、１９２０列目のデータ線１１４に供給されるデータ信号を、それぞれｄ１、ｄ２、ｄ３、…、ｄ１９２０と表記している。
【００２４】
図３は、表示パネル１００における画素１１０の等価回路の一例を示した図である。この図に示されるように、画素１１０は、画素電極１１８とコモン電極１０８とで液晶１０５を挟持した液晶素子１２０と、走査線１１２に選択電圧が印加されたときにデータ線１１４と画素電極１１８との間で導通状態となり、非選択電圧が印加されたときに非導通状態となる薄膜トランジスター（Thin Film Transistor：以下単に「ＴＦＴ」と表記する）１１６とを有する構成である。
なお、コモン電極１０８は各画素にわたって共通であり、図示を省略した回路によって電圧ＬＣｃｏｍが印加される。また、画素１１０では、液晶素子１２０に対して並列に補助容量（蓄積容量）１２５が設けられる。この補助容量１２５は、一端が画素電極１１８に接続され、他端が容量線１１５に共通接続されている。容量線１１５は時間的に一定の電圧に保たれている。
このような構成において、画素１１０では、走査線１１２に選択電圧が印加されたときにＴＦＴ１１６が導通状態になって、データ線１１４に供給されたデータ信号の電圧が画素電極１１８に印加される。一方、走査線１１２への選択電圧の印加が終了して非選択電圧が印加されたときにＴＦＴ１１６が非導通状態になるが、液晶素子１２０は、ＴＦＴ１１６の導通状態であったときに画素電極１１８に印加されたデータ信号の電圧を、その容量性によって走査線１１２に選択電圧が再び印加されるまで保持する。
【００２５】
ところで、本実施形態において、画素１１０はオン駆動又はオフ駆動のいずれかで駆動されるので、データ信号は、ＳＦビットＳｂ２の値に応じてオンレベル又はオフレベルのいずれかとなる。ここで、液晶素子１２０をノーマリーブラックとしたとき、オンレベルとは、液晶素子１２０に電圧を印加して明状態にさせるデータ信号をいい、オフレベルとは、液晶素子１２０に電圧を印加しないで（又は、振幅中心電圧近傍の電圧を印加して）暗状態にさせるデータ信号をいう。また、液晶素子１２０をノーマリーホワイトとしたとき、オンレベルとは、液晶素子１２０に電圧を印加して暗状態にさせるデータ信号をいい、オフレベルとは、液晶素子１２０に電圧を印加しないで（又は、振幅中心電圧近傍の電圧を印加して）明状態にさせるデータ信号をいう。
【００２６】
本実施形態においては、液晶素子１２０を交流駆動するため、オンレベルは、振幅中心電圧に対して高位側とする正極性と、振幅中心電圧に対して低位側とする負極性との２種類となる。一方、オフレベルは、液晶素子１２０に電圧を印加しないのであれば、コモン電極１０８に印加される電圧ＬＣｃｏｍの１種類であり、極性に無関係であるが、印加電圧をゼロ近傍とする電圧を印加するのであれば、振幅中心電圧に対して正極性と、負極性との２種類となる。
なお、本説明において、走査信号やデータ信号の電圧については、図示を省略した接地電位Ｇｎｄを電圧ゼロの基準としている。ただし、液晶素子１２０への印加電圧については、コモン電極１０８の電圧ＬＣｃｏｍと画素電極１１８との電位差とする。また、コモン電極１０８に印加される電圧ＬＣｃｏｍは、上記振幅中心電圧と同電圧と考えてよい。ただし、ｎチャネル型のＴＦＴ１１６のオフリーク等を考慮して、電圧ＬＣｃｏｍを振幅中心電圧よりも低位となるように調整されることがある。
【００２７】
次に、本実施形態におけるサブフィールド駆動について説明する。本実施形態においては、図４に示したように、画素を駆動する単位期間である１フレームを時間軸上で第１グループ〜第４グループに分割し、各グループを、互いに重み（時間的な長さ）の異なる１０個のサブフィールドにそれぞれ分割している。なお、本実施形態では、各グループにおける１０個のサブフィールドの重みは、時間的な順序でみて、例えば「１０」、「９」、「８」、…、「１」にそれぞれ設定されている。本実施形態では、一つのグループが１０個のサブフィールドによって構成されることになるので、これらのサブフィールドを区別するために、時間的な順序でサブフィールドｓｆ１〜ｓｆ１０と表記する。
【００２８】
上述したように、画素１１０においては、走査線１１２が選択されたときに画素電極１１８に印加されるオンレベル又はオフレベルは、走査線１１２が再び選択されるまで保持される。したがって、画素１１０を、あるサブフィールドに応じた期間だけオン駆動又はオフ駆動の状態にさせるためには、走査線１１２を選択して、液晶素子１２０にＳＦビットＳｂ２に応じた（データ信号の）オンレベル又はオフレベルを書き込んでから、再び当該走査線１１２を選択するまでの期間を、当該サブフィールドに応じた期間とすれば良いことになる。
【００２９】
なお、画素１１０を駆動する際には、選択される走査線１１２に係る画素１１０に対応した映像信号ＤｂをＳＦビット変換回路５０がＳＦビットＳｂ２に変換し、当該ＳＦビットＳｂ２をデータ線駆動回路１４０がデータ信号に変換してデータ線１１４に供給する一方、データ信号を供給すべき画素１１０の行に対応する走査線１１２を走査線駆動回路１３０が選択することによって、画素１１０をオン又はオフ駆動することになる。このため、駆動装置は、ＳＦコード変換部５２、ＳＦビット選択部５４及びＳＦビット補正部５６を含むＳＦビット変換回路５０、走査線駆動回路１３０及びデータ線駆動回路１４０で構成されることになる。
【００３０】
ＳＦコード変換部５２は、映像信号Ｄｂを階調レベルに応じて例えば図５に示したようなｂ１〜ｂ２０までの２０ビットのＳＦコードに変換する。なお、本実施形態では、映像信号Ｄｂを８ビットとし、画素で表現すべき階調レベルを十進値で、最も暗い「０」から最も明るい「２５５」まで「１」刻みで２５６階調を指定するものとしている。図５においては、値が１となっているビットは、液晶素子１２０を明状態にする電圧を印加することを示し、値が０となっているビットは、液晶素子１２０を暗状態にする電圧を印加することを示している。
【００３１】
次に、ＳＦビット選択部５４は、変換されたＳＦコードのｂ１〜ｂ２０のうち、いずれかの１ビットを、表示パネル１００における駆動タイミング（グループ及びサブフィールド）に応じて選択して、ＳＦビットＳｂ１として出力する。例えば、階調値が１である映像信号ＤｂがＳＦコードに変換され、表示パネル１００における駆動タイミングが第１グループのサブフィールドｓｆ１０であれば、変換されたＳＦコードのｂ１０がＳＦビットＳｂ１として出力される。また例えば、階調値が１である映像信号ＤｂがＳＦコードに変換され、表示パネル１００における駆動タイミングが第４グループのサブフィールドｓｆ９であれば、変換されたＳＦコードのｂ１９がＳＦビットＳｂ１として出力される。
【００３２】
ＳＦビット補正部５６は、ＳＦビット選択部５４が出力したＳＦビットＳｂ１のうち、サブフィールドｓｆ１〜ｓｆ９に係るＳＦビットＳｂ１については、補正せずにＳＦビットＳｂ２として出力する。また、ＳＦビット補正部５６は、ＳＦビット選択部５４が出力したＳＦビットＳｂ１のうち、サブフィールドｓｆ１０（特定サブフィールド）に係るＳＦビットＳｂ１を補正してＳＦビットＳｂ２として出力する。ＳＦビットＳｂ１の補正の詳細についは後述する。
【００３３】
データ線駆動回路１４０は、各サブフィールドに対応したタイミングで供給されるＳＦビットＳｂ２の値に応じてデータ信号をオンレベル又はオフレベルとするが、サブフィールドのグループが第１グループと第２グループの場合には、データ信号をオンレベルとする場合、振幅中心電圧に対して正極性の電圧を液晶素子１２０に印加する。また、サブフィールドのグループが第３グループと第４グループの場合には、データ信号をオンレベルとする場合、正極性の電圧の印加と負極性の電圧の印加とで印加電圧が非対象とならないようにするため、振幅中心電圧に対して負極性の電圧を液晶素子１２０に印加する。
【００３４】
ところで、上述したように第１，第２グループに属するサブフィールドで正極性の電圧を液晶素子１２０に印加し、第３，第４グループに属するサブフィールドで負極性の電圧を液晶素子１２０に印加する交流駆動を続けると、時間の経過によって液晶１０５内部の不純物イオンの分布が偏り、液晶１０５への直流電圧成分が生じてフリッカーが発生する。そこで、本実施形態では、ＳＦビットＳｂ１をＳＦビット補正部５６が補正してＳＦビットＳｂ２として出力し、液晶１０５へ直流電圧成分が掛かるのを解消する。
具体的には、ＳＦビット補正部５６は、重みの最も小さいサブフィールドｓｆ１０に係るＳＦビットＳｂ１を補正するものであり、第１グループ〜第４グループのいずれか一つのサブフィールドｓｆ１０に係るＳＦビットＳｂ１の値を０から１又は１から０に補正する。すると、１フレーム内において正極性の電圧を印加する第１、第２グループと、負極性の電圧を印加する第３、第４グループとの間で正極性の電圧の印加時間と負極性の電圧の印加時間とが同じとならなくなり、印加電圧のバランスが崩れる。このため、液晶１０５に掛かる直流電圧成分の極性とは逆の極性の直流電圧成分が掛かるように印加電圧のバランスを崩せば、経時変化によって液晶１０５に掛かるようになった直流電圧成分を打ち消すことができる。
【００３５】
なお、ＳＦコード変換部５２においてサブフィールドｓｆ１０に割り当てる値は、第１グループのサブフィールドｓｆ１０をｓｆ１０（１）、第２グループのサブフィールドｓｆ１０をｓｆ１０（２）、第３グループのサブフィールドｓｆ１０をｓｆ１０（３）、第４グループのサブフィールドｓｆ１０をｓｆ１０（４）とすると、図６に示したように、第１グループから第４グループのいずれにおいてもＳＦビットＳｂ１の値が「０」となるパターンＰ１、第１，第３グループでＳＦビットＳｂ１の値が「０」であり第２，第４グループでＳＦビットＳｂ１の値が「１」となるパターンＰ２、第１，第３グループでＳＦビットＳｂ１の値が「１」であり第２，第４グループでＳＦビットＳｂ１の値が「０」となるパターンＰ３、第１グループから第４グループのいずれにおいてもＳＦビットＳｂ１の値が「１」となるパターンＰ４が存在する。
【００３６】
各パターンにおいては、第１グループ〜第４グループのうちのいずれか一つのグループのサブフィールドｓｆ１０に係るＳＦビットＳｂ１の値を変更し得るため、補正後のサブフィールドｓｆ１０に係るＳＦビットＳｂ２の値については、図７に示したように、パターンＰ１〜Ｐ４のそれぞれについて、第１グループのサブフィールドｓｆ１０で値を補正するパターン、第２グループのサブフィールドｓｆ１０で値を補正するパターン、第３グループのサブフィールドｓｆ１０で値を補正するパターン、第４グループのサブフィールドｓｆ１０で値を補正するパターンの４通りが存在する。
【００３７】
ＳＦビット補正部５６は、液晶１０５に掛かる直流電圧成分の偏りに応じて、補正後のパターンとしてとり得る４通りのパターンの中から適切なパターンを選択する。具体的には、ＳＦビット補正部５６は、液晶１０５に掛かる直流電圧成分の偏りを解消しない場合には、サブフィールドｓｆ１０におけるＳＦビットＳｂ１の値を変更せずにＳＦビットＳｂ２として出力する。また、ＳＦビット補正部５６は、液晶に掛かっている直流電圧成分の偏りが負極性側である場合、サブフィールドｓｆ１０に係るＳＦビットＳｂ１の値を図７の「正極性側」の行にある値にし、液晶に掛かっている直流電圧成分の偏りが正極性側である場合、サブフィールドｓｆ１０に係るＳＦビットＳｂ１の値を図７の「負極性側」の行にある値にする。
【００３８】
なお、液晶の応答速度は、電圧を印加したときのほうが早く、液晶がノーマリーブラック（即ちＶＡ（Virtical Alignment）型）の場合には明状態への応答が早くなり、液晶がノーマリーホワイト（即ちＴＮ（Twist Nematic）型）の場合には暗状態への応答が早くなる。このため、ノーマリーブラックとノーマリーホワイトのいずれの場合においても、サブフィールドｓｆ１０に係るＳＦビットＳｂ１の値を、液晶素子１２０に電圧を印加する値に補正してしまうと、フリッカーが視認される虞がある。よってＳＦビット補正部５６は、液晶１０５がノーマリーブラック（ＶＡ型）であるかノーマリーホワイト（ＴＮ型）であるか判断し、液晶素子１２０に電圧を印加しない補正を選択する。具体的には、ＳＦビット補正部５６は、液晶がノーマリーブラックである場合、図７の表において「ＶＡ」の行にある値に変更し、液晶がノーマリーホワイトである場合、図７の表において「ＴＮ」の行にある値に変更する。
【００３９】
なお、液晶がノーマリーブラック（ＶＡ型）であって、補正前のサブフィールドｓｆ１０に係るＳＦビットＳｂ１の値のパターンがパターンＰ１であった場合、第１グループ〜第４グループのいずれかにおいて、ＳＦビットＳｂ１の値を０から１に変更してしまうと、液晶素子１２０を明状態（白）へ変更する電圧を印加することになり、液晶の応答速度が早く、フリッカーが視認される虞がある。このため、液晶がノーマリーブラック（ＶＡ型）であって、サブフィールドｓｆ１０に係る補正前のＳＦビットＳｂ１の値のパターンがパターンＰ１であった場合、ＳＦビット補正部５６は、サブフィールドｓｆ１０に係るＳＦビットＳｂ１の値の補正を行わない。
また、液晶がノーマリーホワイト（ＴＮ型）であって、補正前のサブフィールドｓｆ１０に係るＳＦビットＳｂ１の値のパターンがパターンＰ４であった場合、第１グループ〜第４グループのいずれかにおいて、ＳＦビットＳｂ１の値を０に変更してしまうと、液晶素子１２０を暗状態（黒）へ変更する電圧を印加することになり、液晶の応答速度が早く、フリッカーが視認される虞がある。このため、液晶がノーマリーホワイト（ＴＮ型）であって、サブフィールドｓｆ１０に係る補正前のＳＦビットＳｂ１の値のパターンがパターンＰ４であった場合、ＳＦビット補正部５６は、サブフィールドｓｆ１０に係るＳＦビットＳｂ１の値の補正を行わない。
【００４０】
（第１実施形態の動作例）
次に、第１実施形態に係る電気光学装置１０の全体的な動作について説明する。まず、垂直走査信号Ｖｓが図８に示されるように供給されると、タイミング制御回路２０は、スタートパルスＤｙを、１行目の画素における各グループのサブフィールドｓｆ１〜ｓｆ１０の開始タイミングに合わせて走査線駆動回路１３０に供給する。なお、スタートパルスＤｙは、走査線駆動回路１３０に供給される制御信号Ｙｃｔに含まれる。また、この制御信号Ｙｃｔには、各行の走査線１１２の選択期間を規定するためのクロック信号も含まれる（図示省略）。
【００４１】
また、タイミング制御回路２０は、データ線駆動回路１４０に対して、データ信号の極性を指定する信号Ｆｒｐを出力する。信号Ｆｒｐは、第１グループのサブフィールドｓｆ１の開始のタイミングにおいてハイレベルとなり、第３グループのサブフィールドｓｆ１の開始のタイミングにおいてローレベルとなる。データ線駆動回路１４０は、信号Ｆｒｐがハイレベルの場合には、オンレベルのデータ信号を正極性とし、信号Ｆｒｐがローレベルの場合には、オンレベルのデータ信号を負極性とする。なお、信号Ｆｒｐは、データ線駆動回路１４０に供給される制御信号Ｘｃｔに含まれる。また、この制御信号Ｘｃｔには、データ線駆動回路１４０へＳＦビットＳｂを転送するタイミングを規定するクロック信号も含まれる（図示省略）。
【００４２】
走査線駆動回路１３０は、制御信号Ｙｃｔに含まれるスタートパルスＤｙとクロック信号とに基いて、走査信号Ｇ１〜Ｇ１０８０を出力する。なお、図８においては、走査線の１〜１０８０行を縦軸にとり、時間を横軸としたときに、走査信号Ｇ１〜Ｇ１０８０によって選択される走査線の時間的推移を示している。選択される走査線の時間的推移は、簡略的に表記するため、図８においては右下がりの実線で示している。各画素におけるサブフィールドのオン駆動又はオフ駆動は、走査線の選択時になされるため、各行の画素のサブフィールドｓｆ１〜ｓｆ１０の期間は、図８に示したように、行毎に開始のタイミングが異なることとなる。
【００４３】
次にデータ線駆動回路１４０へのＳＦビットＳｂ２の供給について説明する。まず、メモリー制御部４０が、タイミング制御回路２０による制御にしたがって、一の走査線の選択前に、当該走査線に係る１〜１９２０列の画素１１０に対応した１行分の映像信号Ｄｂをメモリー４５から読み出す。ＳＦコード変換部５２は、読み出された映像信号Ｄｂを、画素１１０毎に階調レベルに応じたＳＦコードに変換する。ＳＦコード変換部５２で得られたＳＦコードは、ＳＦビット選択部５４とＳＦビット補正部５６へ供給される。ＳＦビット選択部５４は、供給されたＳＦコードのｂ１〜ｂ２０のうち、いずれかの１ビットを、表示パネル１００における駆動タイミング（グループ及びサブフィールド）に応じて選択して、ＳＦビットＳｂ１として出力する。
【００４４】
ＳＦビット補正部５６は、液晶１０５に掛かる直流電圧成分がフリッカーを発生させる電圧になるまでは、ＳＦビットＳｂ１を補正せずにＳＦビットＳｂ２として出力する。これは、電気光学装置１０は、フリッカーが発生するまでの間においては、液晶内部の不純物イオンの分布に偏りが小さく、液晶に掛かる直流電圧成分が小さいため、ＳＦビットＳｂ１を補正する必要がないためである。例えば、ある画素の階調を表す映像信号Ｄｂにおいて、当該信号が表す階調レベルが「１」の場合、ＳＦビット補正部５６は、第１，第３グループにおいては、サブフィールドｓｆ１０に係るＳＦビットＳｂ２を「０」として出力し、第２，第４グループにおいては、サブフィールドｓｆ１０に係るＳＦビットＳｂ２を「１」として出力する。
【００４５】
データ線駆動回路１４０は、液晶１０５がノーマリーブラックであり、ＳＦビットＳｂ２の値が０である場合、当該ＳＦビットＳｂ２に対応した画素１１０に接続されているデータ線１１４をオフレベルとし、ＳＦビットＳｂ２の値が１である場合、当該ＳＦビットＳｂ２に対応した画素１１０に接続されているデータ線１１４をオンレベルとする。また、データ線駆動回路１４０は、液晶１０５がノーマリーホワイトであり、ＳＦビットＳｂ２の値が０である場合、当該ＳＦビットＳｂ２に対応した画素１１０に接続されているデータ線１１４をオンレベルとし、ＳＦビットＳｂ２の値が１である場合、当該ＳＦビットＳｂ２に対応した画素１１０に接続されているデータ線１１４をオフレベルとする。
【００４６】
次に、ＳＦビットＳｂ１を補正するときの動作例について説明する。電気光学装置１０において交流駆動を続けると、液晶内部の不純物イオンの分布に偏りが大きくなり、液晶１０５に掛かる直流電圧成分が大きくなっていく。表示領域１０１において不純物イオンの偏りが大きくなる場所は表示パネル１００によって傾向があり、例えば、図９に示したように、表示領域１０１の四隅から予め定められた範囲Ａ１〜Ａ４において、不純物イオンの偏りが大きくなる傾向がある。また、液晶１０５に掛かっている直流電圧成分の偏りが正極性側と負極性側とのいずれの方向に偏るかについても、表示パネル１００によって予め傾向があり、液晶１０５に掛かる直流電圧成分は、表示領域１０１内においては、正極性側か負極性側のいずれかに偏ることになる。また、電気光学装置１０の製造時からフリッカーが視認できるようになるまでの時間についても傾向があり、電気光学装置１０の製造時からある時間が経過すると、上述した範囲内においてフリッカーが視認されるようになる。
【００４７】
よって、電気光学装置１０は、電気光学装置１０が製造されてからの電気光学装置１０の駆動時間を計り、予め定められた時間が経過すると、上述した範囲Ａ１〜Ａ４内の画素１１０（直流電圧成分の偏りの解消を有する特定画素）については、予め把握した直流電圧成分の偏り方向に応じて、サブフィールドｓｆ１０に係るＳＦビットＳｂ１の値を補正する。
具体的には、ＳＦビット補正部５６は、範囲Ａ１〜Ａ４内の画素については、ＳＦコード変換部５２が出力したＳＦコードを取得し、サブフィールドｓｆ１０に係るＳＦビットＳｂ１の値の変化がパターンＰ１となる場合、液晶１０５がノーマリーブラックであると、ＳＦビットＳｂ１の値を補正せずにＳＦビットＳｂ２として表示パネル１００へ出力する。
【００４８】
また、ＳＦビット補正部５６は、範囲Ａ１〜Ａ４内の画素について、サブフィールドｓｆ１０に係るＳＦビットＳｂ１の値の変化がパターンＰ１であり、液晶がノーマリーホワイトである場合、図６の表に基いて、サブフィールドｓｆ１０に係るＳＦビットＳｂ２の値を决定する。
ここでＳＦビット補正部５６は、液晶１０５に掛かる直流電圧成分の偏り方向が負極性側である場合、正極性側に直流電圧成分を偏らせて直流電圧成分を解消するため、サブフィールドｓｆ１０に係るＳＦビットＳｂ１を、図６に示したパターンＰ１ｂに従って補正する。これにより、範囲Ａ１〜Ａ４内であってサブフィールドｓｆ１０に係るＳＦビットＳｂ１の値の変化がパターンＰ１である画素１１０については、第１，第２グループのサブフィールドｓｆ１０では、液晶素子１２０はオン駆動となる。一方、第３グループのサブフィールドｓｆ１０においては、液晶素子１２０はオフ駆動となり、第４グループのサブフィールドｓｆ１０においては、オン駆動となる。
このため、第１及び第２グループと第３及び第４グループとの間で、液晶素子１２０に対する印加電圧のバランスが崩れ、負極性側に偏っていた直流電圧成分が解消されていき、フリッカーが解消されることとなる。なお、ＳＦビット補正部５６は、液晶１０５に掛かる直流電圧成分の偏り方向が正極性側である場合、負極性側に直流電圧成分を偏らせて直流電圧成分を解消するため、サブフィールドｓｆ１０に係るＳＦビットＳｂ１については、図６のパターンＰ１ｃに従って補正する。
【００４９】
また、ＳＦビット補正部５６は、範囲Ａ１〜Ａ４内の画素について、サブフィールドｓｆ１０に係るＳＦビットＳｂ１の値の変化がパターンＰ２であり、液晶がノーマリーブラックである場合、図６の表に基いて、サブフィールドｓｆ１０に係るＳＦビットＳｂ２の値を决定する。
この場合、ＳＦビット補正部５６は、液晶１０５に掛かる直流電圧成分の偏り方向が負極性側であると、正極性側に直流電圧成分を偏らせて直流電圧成分を解消するため、サブフィールドｓｆ１０に係るＳＦビットＳｂ１については、図６のパターンＰ２ｃに従って補正する。これにより、第１グループのサブフィールドｓｆ１０においては、液晶素子１２０はオフ駆動となり、第２グループのサブフィールドｓｆ１０においては、液晶素子１２０はオン駆動となる。また、第３，第４グループのサブフィールドｓｆ１０においては、液晶素子１２０はオフ駆動となる。このため、第１及び第２グループと第３及び第４グループとの間で、液晶素子１２０に対する印加電圧のバランスが崩れ、負極性側に偏っていた直流電圧成分が解消されていき、フリッカーが解消されることとなる。なお、ＳＦビット補正部５６は、液晶１０５に掛かる直流電圧成分の偏り方向が正極性側である場合、負極性側に直流電圧成分を偏らせて直流電圧成分を解消するため、サブフィールドｓｆ１０に係るＳＦビットＳｂ１については、図６のパターンＰ２ａに従って補正する。
また、ＳＦビット補正部５６は、範囲Ａ１〜Ａ４内の画素について、サブフィールドｓｆ１０に係るＳＦビットＳｂ１の値の変化がパターンＰ２であり、液晶１０５がノーマリーホワイトである場合、液晶１０５に掛かる直流電圧成分の偏り方向が正極性側であると、サブフィールドｓｆ１０に係るＳＦビットＳｂ１については、図６のパターンＰ２ｄに従って補正し、液晶１０５に掛かる直流電圧成分の偏り方向が負極性側であると、図６のパターンＰ２ｂに従って補正する。
【００５０】
また、ＳＦビット補正部５６は、範囲Ａ１〜Ａ４内の画素について、サブフィールドｓｆ１０に係るＳＦビットＳｂ１の値の変化がパターンＰ３であり、液晶がノーマリーブラックである場合、図６の表に基いて、サブフィールドｓｆ１０に係るＳＦビットＳｂ２の値を决定する。
この場合、ＳＦビット補正部５６は、液晶１０５に掛かる直流電圧成分の偏り方向が負極性側であると、正極性側に直流電圧成分を偏らせて直流電圧成分を解消するため、サブフィールドｓｆ１０に係るＳＦビットＳｂ１については、図６のパターンＰ３ｃに従って補正する。これにより、第１，第２グループのサブフィールドｓｆ１０においては、液晶素子１２０はオン駆動となる。また、第３グループのサブフィールドｓｆ１０においては、液晶素子１２０はオン駆動となり、第４グループのサブフィールドｓｆ１０においては、液晶素子１２０はオフ駆動となる。このため、第１及び第２グループと第３及び第４グループとの間で、液晶素子１２０に対する印加電圧のバランスが崩れ、負極性側に偏っていた直流電圧成分が解消されていき、フリッカーが解消されることとなる。なお、ＳＦビット補正部５６は、液晶１０５に掛かる直流電圧成分の偏り方向が正極性側である場合、負極性側に直流電圧成分を偏らせて直流電圧成分を解消するため、サブフィールドｓｆ１０に係るＳＦビットＳｂ１については、図６のパターンＰ３ａに従って補正する。
また、ＳＦビット補正部５６は、範囲Ａ１〜Ａ４内の画素について、サブフィールドｓｆ１０に係るＳＦビットＳｂ１の値の変化がパターンＰ３であり、液晶１０５がノーマリーホワイトである場合、液晶１０５に掛かる直流電圧成分の偏り方向が正極性側であると、サブフィールドｓｆ１０に係るＳＦビットＳｂ１については、図６のパターンＰ３ｄに従って補正し、液晶１０５に掛かる直流電圧成分の偏り方向が負極性側であると、図６のパターンＰ３ｂに従って補正する。
【００５１】
また、ＳＦビット補正部５６は、範囲Ａ１〜Ａ４内の画素について、サブフィールドｓｆ１０に係るＳＦビットＳｂ１の値の変化がパターンＰ４であり、液晶１０５がノーマリーホワイトであると、ＳＦビットＳｂ１の値を補正せずにＳＦビットＳｂ２として表示パネル１００へ出力する。
また、ＳＦビット補正部５６は、範囲Ａ１〜Ａ４内の画素について、サブフィールドｓｆ１０に係るＳＦビットＳｂ１の値の変化がパターンＰ４であり、液晶がノーマリーブラックである場合、図６の表に基いて、サブフィールドｓｆ１０に係るＳＦビットＳｂ２の値を决定する。
ここでＳＦビット補正部５６は、液晶１０５に掛かる直流電圧成分の偏り方向が負極性側である場合、正極性側に直流電圧成分を偏らせて直流電圧成分を解消するため、サブフィールドｓｆ１０に係るＳＦビットＳｂ１については、図６に示したパターンＰ４ｄに従って補正する。これにより、範囲Ａ１〜Ａ４内であってサブフィールドｓｆ１０に係るＳＦビットＳｂ１の値の変化がパターンＰ４となる画素１１０については、第３グループのサブフィールドｓｆ１０においては、液晶素子１２０はオフ駆動となり、第４グループのサブフィールドｓｆ１０においては、オン駆動となる。また、第１，第２グループのサブフィールドｓｆ１０では、液晶素子１２０はオン駆動となる。
このため、第１及び第２グループと第３及び第４グループとの間で、液晶素子１２０に対する印加電圧のバランスが崩れ、負極性側に偏っていた直流電圧成分が解消されていき、フリッカーが解消されることとなる。なお、ＳＦビット補正部５６は、液晶１０５に掛かる直流電圧成分の偏り方向が正極性側である場合、負極性側に直流電圧成分を偏らせて直流電圧成分を解消するため、サブフィールドｓｆ１０に係るＳＦビットＳｂ１については、図６のパターンＰ４ｂに従って補正する。
【００５２】
以上説明したように、本実施形態によれば、画素１１０毎に液晶１０５に掛かる直流電圧成分を制御することができるため、液晶１０５に掛かる直流電圧成分を解消し、フリッカーの発生を抑えることができる。
【００５３】
［第２実施形態］
次に本発明の第２実施形態について説明する。図１０は、本発明の第２実施形態に係る電気光学装置の全体構成を示したブロック図である。この図に示されるように、第２実施形態に係る電気光学装置１０Ａは、補正方法指示部５８を有する点が第１実施形態と異なる。また、電気光学装置１０Ａは、ＳＦビット補正部５６の動作が第１実施形態と異なる。他の構成については、第１実施形態と同様であるため、以下、第１実施形態と同じ構成については説明を省略し、相違点について説明する。
【００５４】
まず、サブフィールドｓｆ１０に係るＳＦビットＳｂ１の補正の概要について、図１１を用いて説明する。本実施形態においても、ＳＦビット補正部５６は、サブフィールドｓｆ１０に係るＳＦビットＳｂ１の値を０から１又は１から０に補正し、ＳＦビットＳｂ２として出力する。
ＳＦビットＳｂ１の補正を行う際には、液晶１０５がノーマリーブラックであって、サブフィールドｓｆ１０に係るＳＦビットＳｂ１の補正前のパターンが前述のパターンＰ２の場合、図１１の（ａ）に示したように、直流電圧成分を負極性側に偏らせる補正は、補正をしないときの画素１１０の明るさに対して、画素１１０を暗状態にする補正（パターンＰ２ａ）と明状態にする補正（パターンＰ２ｂ）の２種類があり、直流電圧成分を正極性側に偏らせる補正においても、補正をしないときの明るさに対して、画素１１０を暗状態にする補正（パターンＰ２ｃ）と明状態にする補正（パターンＰ２ｄ）の２種類がある。
また、液晶１０５がノーマリーブラックであって、サブフィールドｓｆ１０に係るＳＦビットＳｂ１の補正前のパターンが前述のパターンＰ３の場合、図１１の（ａ）に示したように、直流電圧成分を負極性側に偏らせる補正においては、補正をしないときの画素１１０の明るさに対して、画素１１０を暗状態にする補正（パターンＰ３ａ）と明状態にする補正（パターンＰ３ｂ）の２種類があり、直流電圧成分を正極性側に偏らせる補正においても、補正をしないときの明るさに対して、画素１１０を暗状態にする補正（パターンＰ３ｄ）と明状態にする補正（パターンＰ３ｃ）の２種類がある。
【００５５】
また、液晶１０５がノーマリーホワイトであって、サブフィールドｓｆ１０に係るＳＦビットＳｂ１のパターンがパターンＰ２の場合、図１１の（ｂ）に示したように、直流電圧成分を負極性側に偏らせる補正は、補正をしないときの画素１１０の明るさに対して、画素１１０を暗状態にする補正（パターンＰ２ｃ）と明状態にする補正（パターンＰ２ｄ）の２種類があり、直流電圧成分を正極性側に偏らせる補正においても、補正をしないときの画素１１０の明るさ対して、画素１１０を暗状態にする補正（パターンＰ２ａ）と明状態にする補正（パターンＰ２ｂ）の２種類がある。
また、液晶１０５がノーマリーホワイトであって、サブフィールドｓｆ１０に係るＳＦビットＳｂ１のパターンがパターンＰ３の場合、図１１の（ｂ）に示したように、直流電圧成分を負極性側に偏らせる補正においては、補正をしないときの画素１１０の明るさに対して、画素１１０を暗状態にする補正（パターンＰ３ｄ）と明状態にする補正（パターンＰ３ｃ）の２種類があり、直流電圧成分を正極性側に偏らせる補正においても、補正をしないときの画素１１０の明るさに対して、画素１１０を暗状態にする補正（パターンＰ３ａ）と明状態にする補正（パターンＰ３ｂ）の２種類がある。
【００５６】
第１実施形態においては、液晶１０５がノーマリーブラックの場合には、補正をしないときの画素１１０の明るさに対して、画素１１０を暗状態にする補正のみを行なっており、液晶１０５がノーマリーホワイトの場合には、補正をしないときの画素１１０の明るさに対して、画素１１０を明状態にする補正のみを行なっている。
これに対し、本実施形態においては、液晶１０５がノーマリーブラックとノーマリーホワイトのいずれの場合であっても、図１１に示したテーブルを用いて、画素１１０において暗状態にする補正と明状態にする補正とが交互に行われる構成とした。
補正方法指示部５８は、この構成を実現するためのブロックであり、ＳＦビット補正部５６に対し、暗状態にする補正と明状態にする補正とのいずれか一方を行うように指示するブロックである。補正方法指示部５８は、同じフレーム内で暗状態に補正される画素１１０と明状態に補正される画素とが隣り合わないように、画素１１０の位置と、フレームが奇数フレームか偶数フレームかに応じて、サブフィールドｓｆ１０に係るＳＦビットＳｂ１の値の補正方法を指示する。
【００５７】
ここで、補正方法の指示について説明する。図１２は、表示領域１０１の一部の２行２列の画素１１０と、当該画素１１０の奇数フレームと偶数フレームにおける状態を示した図である。本実施形態においては、図１２に示したように奇数フレームにおいては、奇数行奇数列と偶数行偶数列の画素１１０を画素Ｂ（第２画素）とし、偶数行奇数列と奇数行偶数列の画素１１０を画素Ａ（第１画素）とする。また、偶数フレームにおいては、偶数行奇数列と奇数行偶数列の画素１１０を画素Ｂ（第２画素）とし、奇数行奇数列と偶数行偶数列の画素１１０を画素Ａ（第１画素）とする。
【００５８】
補正方法指示部５８は、画素Ａについては、サブフィールドｓｆ１０に係るＳＦビットＳｂ１の補正前のパターンがパターンＰ２又はパターンＰ３となる場合には、補正前の明るさに対して暗状態となる補正をＳＦビット補正部５６に指示し、画素Ｂについては、サブフィールドｓｆ１０に係るＳＦビットＳｂ１の補正前のパターンがパターンＰ２又はパターンＰ３となる場合には、補正前の明るさに対して明状態となる補正をＳＦビット補正部５６に指示する。
なお、サブフィールドｓｆ１０に係るＳＦビットＳｂ１の補正前のパターンがパターンＰ１の場合には、サブフィールドｓｆ１０に係るＳＦビットＳｂ１が第１グループ〜第４グループのいずれにおいても０であるため、画素１１０を暗状態に補正することができない。また、サブフィールドｓｆ１０に係るＳＦビットＳｂ１の補正前のパターンがパターンＰ４の場合には、サブフィールドｓｆ１０に係るＳＦビットＳｂ１が第１グループ〜第４グループのいずれにおいても１であるため、画素１１０を明状態に補正することができない。
つまり、サブフィールドｓｆ１０に係るＳＦビットＳｂ１の補正前のパターンがパターンＰ１とパターンＰ４の場合には、暗状態にする補正と明状態にする補正とを交互に行うことができないため、補正方法指示部５８は、サブフィールドｓｆ１０に係るＳＦビットＳｂ１の補正前のパターンがパターンＰ１とパターンＰ４の場合には、ＳＦビット補正部５６に対して補正を行わないように指示する。
【００５９】
（第２実施形態の動作例）
次に電気光学装置１０Ａの動作例について説明する。電気光学装置１０Ａは、第１実施形態と同様に、予め定められた時間が経過すると、上述した範囲Ａ１〜Ａ４内の画素１１０については、予め把握した直流電圧成分の偏り方向に応じて、サブフィールドｓｆ１０に係るＳＦビットＳｂ１の値を補正する。
具体的には、ＳＦビット補正部５６は、範囲Ａ１〜Ａ４内の画素について、ＳＦコード変換部５２が出力したＳＦコードを取得し、サブフィールドｓｆ１０に係るＳＦビットＳｂ１の値の変化がパターンＰ１又はパターンＰ４となる場合、ＳＦビットＳｂ１の値を補正せずにＳＦビットＳｂ２として表示パネル１００へ出力する。
【００６０】
また、範囲Ａ１〜Ａ４内の画素について、サブフィールドｓｆ１０に係るＳＦビットＳｂ１の値の変化がパターンＰ２であり、液晶１０５がノーマリーブラックである場合、補正方法指示部５８は、ＳＦビットＳｂ１の補正方法をＳＦビット補正部５６へ指示する。
ここで、補正方法指示部５８は、液晶１０５に掛かる直流電圧成分の偏り方向が負極性側であると、正極性側に直流電圧成分を偏らせて直流電圧成分を解消するため、画素Ａについては、図１１（ａ）のパターンＰ２ｃに従った補正を指示し、画素Ｂについては、図１１（ａ）のパターンＰ２ｄに従った補正を指示する。
すると、画素Ａにおいては、第１グループのサブフィールドｓｆ１０では、液晶素子１２０はオフ駆動となり、第２グループのサブフィールドｓｆ１０においては、液晶素子１２０はオン駆動となる。また、第３，第４グループのサブフィールドｓｆ１０においては、液晶素子１２０はオフ駆動となる。また、画素Ｂにおいては、第１，第２グループのサブフィールドｓｆ１０では、液晶素子１２０はオン駆動となる。また、第３グループのサブフィールドｓｆ１０では、液晶素子１２０はオフ駆動となり、第４グループのサブフィールドｓｆ１０においては、液晶素子１２０はオン駆動となる。
これにより、画素Ａ及び画素Ｂにおいては、第１及び第２グループと第３及び第４グループとの間で、液晶素子１２０に対する印加電圧のバランスが崩れ、負極性側に偏っていた直流電圧成分が解消されていき、フリッカーが解消されることとなる。
【００６１】
なお、奇数フレームから偶数フレーム又は偶数フレームから奇数フレームに変化すると、画素Ａであった画素１１０は画素Ｂとなり、画素Ｂであった画素１１０は画素Ａとなる。例えば、前のフレームと後のフレームとで映像信号Ｄａに変化がない場合、先のフレームでパターンＰ２ｃに従った補正を指示された画素１１０は、次のフレームではパターンＰ２ｄに従った補正を指示され、先のフレームでパターンＰ２ｄに従った補正を指示された画素１１０は、次のフレームではパターンＰ２ｃに従った補正を指示される。補正の指示が変わっても、パターンＰ２ｃ及びパターンＰ２ｄに従った補正は、正極性側に直流電圧成分を偏らせて直流電圧成分を解消するため、フリッカーが解消されることとなる。
【００６２】
なお、範囲Ａ１〜Ａ４内の画素について、サブフィールドｓｆ１０に係るＳＦビットＳｂ１の値の変化がパターンＰ２であり、液晶がノーマリーブラックであって、液晶１０５に掛かる直流電圧成分の偏り方向が正極性側であると、補正方法指示部５８は、負極性側に直流電圧成分を偏らせて直流電圧成分を解消するため、画素Ａについては、図１１（ａ）のパターンＰ２ａに従った補正を指示し、画素Ｂについては、図１１（ａ）のパターンＰ２ｂに従った補正を指示する。これにより、画素Ａ及び画素Ｂにおいては、第１及び第２グループと第３及び第４グループとの間で、液晶素子１２０に対する印加電圧のバランスが崩れ、正極性側に偏っていた直流電圧成分が解消されていき、フリッカーが解消されることとなる。
【００６３】
また、範囲Ａ１〜Ａ４内の画素について、サブフィールドｓｆ１０に係るＳＦビットＳｂ１の値の変化がパターンＰ２であり、液晶がノーマリーホワイトであって、液晶１０５に掛かる直流電圧成分の偏り方向が負極性側であると、補正方法指示部５８は、正極性側に直流電圧成分を偏らせて直流電圧成分を解消するため、画素Ａについては、図１１（ｂ）のパターンＰ２ａに従った補正を指示し、画素Ｂについては、図１１（ｂ）のパターンＰ２ｂに従った補正を指示する。
また、範囲Ａ１〜Ａ４内の画素について、サブフィールドｓｆ１０に係るＳＦビットＳｂ１の値の変化がパターンＰ２であり、液晶がノーマリーホワイトであって、液晶１０５に掛かる直流電圧成分の偏り方向が正極性側であると、補正方法指示部５８は、負極性側に直流電圧成分を偏らせて直流電圧成分を解消するため、画素Ａについては、図１１（ｂ）のパターンＰ２ｃに従った補正を指示し、画素Ｂについては、図１１（ｂ）のパターンＰ２ｄに従った補正を指示する。
これにより、液晶１０５がノーマリーホワイトであっても、画素Ａ及び画素Ｂにおいては、第１及び第２グループと第３及び第４グループとの間で、液晶素子１２０に対する印加電圧のバランスが崩れ、いずれかの極性側に偏っていた直流電圧成分が解消されていき、フリッカーが解消されることとなる。
【００６４】
次に、範囲Ａ１〜Ａ４内の画素について、サブフィールドｓｆ１０に係るＳＦビットＳｂ１の値の変化がパターンＰ３であり、液晶がノーマリーブラックである場合、補正方法指示部５８は、ＳＦビットＳｂ１の補正方法をＳＦビット補正部５６へ指示する。
ここで、補正方法指示部５８は、液晶１０５に掛かる直流電圧成分の偏り方向が負極性側であると、正極性側に直流電圧成分を偏らせて直流電圧成分を解消するため、画素Ａについては、図１１（ａ）のパターンＰ３ｄに従った補正を指示し、画素Ｂについては、図１１（ａ）のパターンＰ３ｃに従った補正を指示する。
すると、画素Ａにおいては、第１グループのサブフィールドｓｆ１０では、液晶素子１２０はオン駆動となり、第２グループのサブフィールドｓｆ１０においては、液晶素子１２０はオフ駆動となる。また、第３，第４グループのサブフィールドｓｆ１０においては、液晶素子１２０はオフ駆動となる。また、画素Ｂにおいては、第１，第２グループのサブフィールドｓｆ１０では、液晶素子１２０はオン駆動となる。また、第３グループのサブフィールドｓｆ１０では、液晶素子１２０はオン駆動となり、第４グループのサブフィールドｓｆ１０においては、液晶素子１２０はオフ駆動となる。
これにより、画素Ａ及び画素Ｂにおいては、第１及び第２グループと第３及び第４グループとの間で、液晶素子１２０に対する印加電圧のバランスが崩れ、負極性側に偏っていた直流電圧成分が解消されていき、フリッカーが解消されることとなる。
【００６５】
なお、奇数フレームから偶数フレーム又は偶数フレームから奇数フレームに変化すると、画素Ａであった画素１１０は画素Ｂとなり、画素Ｂであった画素１１０は画素Ａとなる。前のフレームと後のフレームとで映像信号Ｄａに変化がない場合、先のフレームでパターンＰ３ｃに従った補正を指示された画素１１０は、次のフレームではパターンＰ３ｄに従った補正を指示され、先のフレームでパターンＰ３ｄに従った補正を指示された画素１１０は、次のフレームではパターンＰ３ｃに従った補正を指示される。補正の指示が変わっても、パターンＰ３ｃ及びパターンＰ３ｄに従った補正は、正極性側に直流電圧成分を偏らせて直流電圧成分を解消するため、フリッカーが解消されることとなる。
【００６６】
なお、範囲Ａ１〜Ａ４内の画素について、サブフィールドｓｆ１０に係るＳＦビットＳｂ１の値の変化がパターンＰ３であり、液晶がノーマリーブラックであって、液晶１０５に掛かる直流電圧成分の偏り方向が正極性側であると、補正方法指示部５８は、負極性側に直流電圧成分を偏らせて直流電圧成分を解消するため、画素Ａについては、図１１（ａ）のパターンＰ３ａに従った補正を指示し、画素Ｂについては、図１１（ａ）のパターンＰ３ｂに従った補正を指示する。これにより、画素Ａ及び画素Ｂにおいては、第１及び第２グループと第３及び第４グループとの間で、液晶素子１２０に対する印加電圧のバランスが崩れ、正極性側に偏っていた直流電圧成分が解消されていき、フリッカーが解消されることとなる。
【００６７】
また、範囲Ａ１〜Ａ４内の画素について、サブフィールドｓｆ１０に係るＳＦビットＳｂ１の値の変化がパターンＰ３であり、液晶がノーマリーホワイトであって、液晶１０５に掛かる直流電圧成分の偏り方向が負極性側であると、補正方法指示部５８は、正極性側に直流電圧成分を偏らせて直流電圧成分を解消するため、画素Ａについては、図１１（ｂ）のパターンＰ３ａに従った補正を指示し、画素Ｂについては、図１１（ｂ）のパターンＰ３ｂに従った補正を指示する。
また、範囲Ａ１〜Ａ４内の画素について、サブフィールドｓｆ１０に係るＳＦビットＳｂ１の値の変化がパターンＰ３であり、液晶がノーマリーホワイトであって、液晶１０５に掛かる直流電圧成分の偏り方向が正極性側であると、補正方法指示部５８は、負極性側に直流電圧成分を偏らせて直流電圧成分を解消するため、画素Ａについては、図１１（ｂ）のパターンＰ３ｄに従った補正を指示し、画素Ｂについては、図１１のパターンＰ３ｃに従った補正を指示する。
これにより、液晶１０５がノーマリーホワイトモードであっても、画素Ａ及び画素Ｂにおいては、第１及び第２グループと第３及び第４グループとの間で、液晶素子１２０に対する印加電圧のバランスが崩れ、いずれかの極性側に偏っていた直流電圧成分が解消されていき、フリッカーが解消されることとなる。
【００６８】
以上説明したように、本実施形態によれば、画素１１０毎に液晶１０５に掛かる直流電圧成分を制御することができるため、液晶１０５に掛かる直流電圧成分を解消し、フリッカーの発生を抑えることができる。
また、本実施形態においては、個々の画素１１０は、直流電圧成分を解消する際には、暗状態（正極性の電圧と負極性の電圧のいずれか一方が印加されない状態）と、明状態（正極性の電圧と負極性の電圧の両方が印加される状態）とに交互になるため、暗状態と明状態のいずれか一方となるように補正して直流電圧成分を解消する構成と比較すると、直流電圧成分の解消に伴う階調の変化をゆるやかにすることができる。
また、直流電圧成分を解消する際には、第１，第２グループにおける正極性の電圧の印加時間と、第３，第４グループにおける負極性の電圧の印加時間を異ならせているため、画素１１０を明状態にする補正又は暗状態にする補正のいずれか一方のみ行う構成を採用した場合、範囲Ａ１〜範囲Ａ４の全ての画素１１０は、第１，第２グループ又は第３，第４グループのいずれか一方で揃って他方より明るくなり、フリッカーとして視認される虞がある。
一方、本実施形態においては、１フレーム内においては、補正前の明るさに対して明状態に補正される画素１１０と暗状態に補正される画素１１０とが隣り合い、次のフレームでは、補正される画素１１０は、明状態と暗状態とが入れ替わる構成を採用しているため、範囲Ａ１〜範囲Ａ４の全ての画素１１０は、第１，第２グループ又は第３，第４グループのいずれか一方で揃って他方より明るくなることがなくなり、フリッカーが視認されにくくなる。
【００６９】
［電子機器］
次に、上述した電気光学装置を用いた電子機器の一例として、電気光学装置をライトバルブとして用いたプロジェクターについて説明する。図１３は、このプロジェクターの構成を示す平面図である。
この図に示されるように、プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００７０】
このプロジェクター２１００では、表示パネル１００を含む電気光学装置が、Ｒ色、Ｇ色、Ｂ色のそれぞれに対応して３組設けられる。そして、Ｒ色、Ｇ色、Ｂ色のそれぞれに対応する映像信号がそれぞれ上位回路から供給されて、ＳＦコードに変換された後、当該ＳＦコードのうち、画素の位置などに応じたＳＦビットが選択される構成となっている。ライトバルブ１００Ｒ、１００Ｇおよび１００Ｂの構成は、上述した表示パネル１００と同様であり、Ｒ色、Ｇ色、Ｂ色のそれぞれに対応するＳＦビットに応じて、サブフィールド毎にそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００７１】
なお、ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００７２】
電子機器としては、図１３を参照して説明した他にも、テレビジョンや、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記電気光学装置を適用してもよい。
【００７３】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００７４】
上述した実施形態においては、１フレームを時間軸上で第１グループ〜第４グループに分割しているが、この構成に限定されるものではない。例えば、１フレームを２つのグループに分割してもよい。この場合、時間軸上で先となるグループで一方の極性の電圧を画素１１０に印加し、後となるグループで他方の極性の電圧を画素１１０に印加してもよい。また、この構成において一つのグループを１０個のサブフィールドに分割した場合、ＳＦコード変換部５２は、映像信号Ｄｂを階調レベルに応じてｂ１〜ｂ１０までの１０ビットのＳＦコードに変換する。このｂ１〜ｂ１０は、各グループのサブフィールドｓｆ１〜ｓｆ１０へ割り当てられる。
また、１フレームを６つのグループに分割してもよい。この場合、時間軸上で前半となる第１〜第３グループで一方の極性の電圧を画素１１０に印加し、後半となる第４グループ〜第６グループで他方の極性の電圧を画素１１０に印加する。また、この構成において一つのグループを１０個のサブフィールドに分割した場合、ＳＦコード変換部５２は、映像信号Ｄｂを階調レベルに応じてｂ１〜ｂ３０までの３０ビットのＳＦコードに変換する。この場合、例えば、ｂ１〜ｂ１０を第１，第４グループに割り当て、ｂ１１〜ｂ２０を第２，第５グループに割り当て、ｂ２１〜ｂ３０を第３，第６グループに割り当てる。
。
また、１フレームを８つのグループに分割してもよい。この場合、時間軸上で前半となる第１〜第３グループで一方の極性の電圧を画素１１０に印加し、後半となる第４グループ〜第６グループで他方の極性の電圧を画素１１０に印加する。また、この構成において一つのグループを１０個のサブフィールドに分割した場合、ＳＦコード変換部５２は、映像信号Ｄｂを階調レベルに応じてｂ１〜ｂ４０までの４０ビットのＳＦコードに変換する。この場合、例えば、ｂ１〜ｂ１０を第１，第５グループに割り当て、ｂ１１〜ｂ２０を第２，第６グループに割り当て、ｂ２１〜ｂ３０を第３，第７グループに割り当て、ｂ３１〜ｂ４０を第３，第８グループに割り当てる。
【００７５】
上述した実施形態においては、１つのグループを１０個のサブフィールドに分割しているが、１つのグループ内のサブフィールドの数は１０個に限定されるものではない。
例えば、１０未満の数でもよく、また、１１以上の数であってもよい。
【００７６】
上述した実施形態においては、１つのグループ内のサブフィールドの重みは各々異なるが、この構成に限定されるものではない。例えば、サブフィールドｓｆ１〜ｓｆ１０の各々の重みを同じにしてもよい。
また、上述した実施形態においては、サブフィールドｓｆ１〜ｓｆ１０は、時間軸上でみると後になるほど重みが小さくなっているが、この構成に限定されるものでなく、サブフィールドｓｆ１〜ｓｆ１０の重みの順番を入れ替えてもよい。
【００７７】
上述した実施形態においては、重みが最も小さいサブフィールドｓｆ１０のＳＦビットＳｂ１について値を補正しているが、サブフィールドｓｆ１０のＳＦビットＳｂ１ではなく、他のサブフィールドのＳＦビットＳｂ１を補正してもよい。
【００７８】
上述した実施形態においては、表示領域１０１の予め定められた範囲Ａ１〜Ａ４内の画素１１０について、予め定めた時間が経過すると、予め把握した直流電圧成分の偏りに応じてサブフィールドｓｆ１０のＳＦビットＳｂ１の値を補正しているが、この構成に限定されるものではない。
例えば、電気光学装置１０，１０Ａにおいては、画素１１０の近傍に光センサーを配置し、正極性の電圧が画素１１０に印加されているときの画素１１０の明るさと、負極性の電圧が画素１１０に印加されているときの画素１１０の明るさとを測定し、両者の明るさの差が予め定められた閾値を越えると、サブフィールドｓｆ１０のＳＦビットＳｂ１の値の補正を始めるようにしてもよい。
なお、この構成においては、電気光学装置１０は、正極性の電圧が画素１１０に印加されているときの画素１１０の明るさと、負極性の電圧が画素１１０に印加されているときの画素１１０の明るさとでいずれのほうが明るいかを検知し、検知結果に基いて、直流電圧成分の偏りが正極性側と負極性側とのいずれの方向に偏っているかを判定してもよい。そして、この判定結果に応じて、サブフィールドｓｆ１０のＳＦビットＳｂ２の値を决定するようにしてもよい。
また、光センサーを配置する構成にあっては、範囲Ａ１〜Ａ４の近傍に光センサーを配置する構成としてもよい。この構成の場合、正極性の電圧が画素１１０に印加されているときに測定した明るさと、負極性の電圧が画素１１０に印加されているときに測定した明るさとの差が閾値を越えた光センサーの近傍にある範囲について、サブフィールドｓｆ１０のＳＦビットＳｂ１の値の補正を始めるようにしてもよい。
【００７９】
また、電気光学装置１０を上述したようにプロジェクターに用いる構成にあっては、投写された画像の明るさを測定し、正極性の電圧が画素１１０に印加されているときと、負極性の電圧が画素１１０に印加されているときとで明るさに差がある部分を特定し、特定した部分について、サブフィールドｓｆ１０のＳＦビットＳｂ１の値の補正を行うようにしてもよい。また、この構成においても、正極性の電圧が画素１１０に印加されているときと、負極性の電圧が画素１１０に印加されているときとでいずれのほうが明るいかを検知し、検知結果に基いて、直流電圧成分の偏りが正極性側と負極性側とのいずれの方向に偏っているかを判定してもよい。
【符号の説明】
【００８０】
１０…電気光学装置、２０…タイミング制御回路、３０…画質調整部、４０…メモリー制御部、４５…メモリー、５０…ＳＦビット変換回路、５２…ＳＦコード変換部、５４…ＳＦビット選択部、５６…ＳＦビット補正部、５８…補正方法指示部、１００…表示パネル、１０１…表示領域、１０５…液晶、１１０…画素、１１２…走査線、１１４…データ線、１１６…ＴＦＴ、１１８…画素電極、１２０…液晶素子、１３０…走査線駆動回路
１４０…データ線駆動回路、２１００…プロジェクター
【図１】
2015031778.tif 000003
【図２】
2015031778.tif 000004
【図３】
2015031778.tif 000005
【図４】
2015031778.tif 000006
【図５】
2015031778.tif 000007
【図６】
2015031778.tif 000008
【図７】
2015031778.tif 000009
【図８】
2015031778.tif 000010
【図９】
2015031778.tif 000011
【図１０】
2015031778.tif 000012
【図１１】
2015031778.tif 000013
【図１２】
2015031778.tif 000014
【図１３】
2015031778.tif 000015